(57)【要約】  階層的に分類された集合に含まれる企業の各々に対応付けられた、ワークショップで利用される意味情報を含む属性情報が対応付けられたカード（１００）であって、選択された２以上の集合間で、各集合の各々に属する企業に対応付けられたカード（１００）の属性情報が類似する１以上のカード（１００）を、類似度が高い順に集合間関連画面（８２）の関連情報領域（８４）に表示して、集合間の関連性を示す情報を提示する。
2020026316.tif 000002
【特許請求の範囲】
【請求項１】
要素の各々の属性に基づいて、複数の要素を分類した複数の集合から、２以上の集合の選択を受け付け、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出し、
抽出した前記１以上のカードを、前記２以上の集合間の関係を示す情報として表示する
ことを含む処理をコンピュータに実行させるための表示制御プログラム。
【請求項２】
前記２以上の集合の選択として、前記複数の要素を階層的に分類した複数の集合から、異なる階層間の集合の選択を許容する請求項１に記載の表示制御プログラム。
【請求項３】
前記１以上のカードを表示する際、前記属性情報の類似度が高い順に表示する請求項１又は請求項２に記載の表示制御プログラム。
【請求項４】
前記属性情報は、前記カードが議論の場で選択される選択肢として機能するための意味情報を含む請求項１〜請求項３のいずれか１項に記載の表示制御プログラム。
【請求項５】
前記属性情報は、前記カードが示す意味情報の価値を評価した評価情報を含む請求項４に記載の表示制御プログラム。
【請求項６】
前記属性情報は、前記カードが前記議論の場で選択された履歴情報を含む請求項４又は請求項５に記載の表示制御プログラム。
【請求項７】
前記履歴情報は、前記カードが前記議論の場で選択された頻度、及び前記カードが選択された際の前記議論の場の状況の少なくとも一方を含む請求項６に記載の表示制御プログラム。
【請求項８】
前記要素は企業であり、前記複数の要素を階層的に分類した集合は、上位階層の産業別の集合、下位階層の業種別の集合を含み、最下層の集合が各要素である請求項２に記載の表示制御プログラム。
【請求項９】
要素の各々の属性に基づいて、複数の要素を分類した複数の集合から、２以上の集合の選択を受け付ける受付部と、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出する抽出部と、
抽出した前記１以上のカードを、前記２以上の集合間の関係を示す情報として表示する表示制御部と、
を含む表示制御装置。
【請求項１０】
前記受付部は、前記２以上の集合の選択として、前記複数の要素を階層的に分類した複数の集合から、異なる階層間の集合の選択を許容する請求項９に記載の表示制御装置。
【請求項１１】
前記表示制御部は、前記１以上のカードを表示する際、前記属性情報の類似度が高い順に表示する請求項９又は請求項１０に記載の表示制御装置。
【請求項１２】
前記属性情報は、前記カードが議論の場で選択される選択肢として機能するための意味情報を含む請求項９〜請求項１１のいずれか１項に記載の表示制御装置。
【請求項１３】
前記属性情報は、前記カードが示す意味情報の価値を評価した評価情報を含む請求項１２に記載の表示制御装置。
【請求項１４】
前記属性情報は、前記カードが前記議論の場で選択された履歴情報を含む請求項１２又は請求項１３に記載の表示制御装置。
【請求項１５】
前記履歴情報は、前記カードが前記議論の場で選択された頻度、及び前記カードが選択された際の前記議論の場の状況の少なくとも一方を含む請求項１４に記載の表示制御装置。
【請求項１６】
前記要素は企業であり、前記複数の要素を階層的に分類した集合は、上位階層の産業別の集合、下位階層の業種別の集合を含み、最下層の集合が各要素である請求項１０に記載の表示制御装置。
【請求項１７】
要素の各々の属性に基づいて、複数の要素を分類した複数の集合から、２以上の集合の選択を受け付け、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出し、
抽出した前記１以上のカードを、前記２以上の集合間の関係を示す情報として表示する
ことを含む処理をコンピュータが実行する表示制御方法。
【請求項１８】
前記２以上の集合の選択として、前記複数の要素を階層的に分類した複数の集合から、異なる階層間の集合の選択を許容する請求項１７に記載の表示制御方法。
【請求項１９】
前記１以上のカードを表示する際、前記属性情報の類似度が高い順に表示する請求項１７又は請求項１８に記載の表示制御方法。
【請求項２０】
要素の各々の属性に基づいて、複数の要素を分類した複数の集合から、２以上の集合の選択を受け付け、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出し、
抽出した前記１以上のカードを、前記２以上の集合間の関係を示す情報として表示する
ことを含む処理をコンピュータに実行させるための表示制御プログラムを記憶した記憶媒体。
【発明の詳細な説明】
【技術分野】
【０００１】
開示の技術は、表示制御プログラム、表示制御装置、及び表示制御方法に関する。
【背景技術】
【０００２】
例えば、ワークショップ形式のように、複数のユーザが集まる場で、各ユーザの考えを十分に引き出して検討を深めながら、複数のユーザが属する企業や自治体などのグループの課題解決に向けた議論を行う作業がある。このような作業では、様々な事項に目を向けた議論を行うことで、ワークショップが活発化し、検討を深めることができる。そこで、他のワークショップの情報を参考にすることが有効になる場合がある。例えば、自グループと属性が類似する集合に含まれる他のグループ、例えば、同業他社に関する情報や、自グループと属性が異なる集合、例えば、異業種に関する情報等を参考にするなど、参考にしたい情報を集合として扱うことが考えられる。【０００３】
ここで、与えられた複数の集合から、集合演算で様々な集合を作る集合操作装置が提案されている。この装置は、与えられた複数の集合を入力して、それらの集合の包含関係を記述した要素関連表を作成し、与えられた要素選択条件に基づいて、要素関連表の内容に対する集合演算を行って、要素選択条件に適合した集合を出力する。
【先行技術文献】
【特許文献】
【０００４】
【特許文献１】特開平４−３２４５７６号公報
【発明の概要】
【発明が解決しようとする課題】
【０００５】
しかしながら、従来技術では、既存の集合間の関連については考慮されていないため、参考にすべき情報を含む集合を把握することが困難である。【０００６】
開示の技術は、一つの側面として、集合間の関連性を示す情報を提示することを目的とする。
【課題を解決するための手段】
【０００７】
開示の技術は、一つの態様として、要素の各々の属性に基づいて、複数の要素を分類した複数の集合から、２以上の集合の選択を受け付ける。また、前記要素の各々と、１以上の属性情報が対応付けられた複数のカードのうちの少なくとも１つとを対応付けて記憶した記憶部を参照する。そして、選択された前記２以上の集合の各々に含まれる要素に対応付けられた前記カードから、前記２以上の集合間で、前記カードに対応付けられた属性情報が類似する所定数のカードを抽出する。さらに、抽出した前記所定数のカードを、前記２以上の集合間の関係を示す情報として表示する。
【発明の効果】
【０００８】
一つの側面として、集合間の関連性を示す情報を提示することができる、という効果を有する。
【図面の簡単な説明】
【０００９】
【図１】カードの一例を示す図である。
【図２】ワークショップでのカードの使用例を説明するための図である。
【図３】本実施形態に係る表示制御システムの概略構成を示すブロック図である。
【図４】本実施形態に係る表示制御装置の機能ブロック図である。
【図５】企業データベースの一例を示す図である。
【図６】カードデータベースの一例を示す図である。
【図７】集合画面の一例を示す図である。
【図８】集合画面の一例を示す図である。
【図９】集合画面の一例を示す図である。
【図１０】集合間関連画面の一例を示す図である。
【図１１】集合間関連画面の一例を示す図である。
【図１２】本実施形態に係る表示制御装置として機能するコンピュータの概略構成を示すブロック図である。
【図１３】本実施形態における表示制御処理の一例を示すフローチャートである。
【発明を実施するための形態】
【００１０】
以下、図面を参照して開示の技術に係る実施形態の一例を詳細に説明する。
【００１１】
以下の実施形態では、例えば、ＩＣＴ（Information and Communication Technology）を活用し、社内外の問題解決を目指すワークショップの参考となる情報を表示する場合を例に説明する。以下の実施形態では、参考となる情報を抽出する際、ワークショップで使用されるカードの情報を利用する。そこで、本実施形態の詳細を説明する前に、ワークショップにおけるカードの使用の一例について説明する。
【００１２】
カードは、ワークショップにおける検討の材料としてワークショップに参加するユーザに提示される様々な選択肢の各々を、文字情報と、写真やイラストなどの画像とを用いて電子的に表したものである。以下の実施形態においては、このような選択肢をカードと表記するが、カードは必ずしも矩形で区切られた表示である必要はない。例えば、ユーザに対して文字情報、画像などの情報を提示でき、またユーザ操作によって個別に選択し得るものであれば、その呼び名、形状は他の態様であってもよい。図１に、カード１００の一例を示す。図１の例では、カード１００には、そのカード１００が表す内容を端的に表現したカードタイトル１００Ｐと、イラスト１００Ｑとが含まれる。なお、カード１００は、カードタイトル１００Ｐのみ、又はイラスト１００Ｑのみを含むものであってもよい。
【００１３】
カード１００として表す選択肢には、様々な内容を採用することができ、例えば、施設に関するもの、働き方に関するもの、ＩＣＴを利用できそうなもの、ＩＣＴとは直接的には関係ないもの等を含むことができる。なお、ワークショップで議論する課題を解決に導くヒントとなるように、カード１００が表現する内容には、人、デジタル技術、そこから導き出される価値の情報が含まれてもよい。
【００１４】
なお、カード１００には、選択肢の内容を表す文字情報や画像以外の他の属性情報も対応付けられている。これらの属性情報については後述する。
【００１５】
カード１００は、選択肢の数だけ用意され、図２の上図に示すように、複数のカード１００が、ユーザによる選択操作を含む操作を受付可能な状態で、タッチパネルディスプレイ等の第１表示装置１３０に表示される。ユーザは、第１表示装置１３０に表示された複数のカード１００を見て、興味を惹いたカード１００や、自身の意見に関連するカード１００などを選択する。
【００１６】
各ユーザに選択されたカード１００は、図２の下図に示すように、ビジョンに集約され、ユーザによる選択操作を含む操作を受付可能な状態で、タッチパネルディスプレイ等の第２表示装置１５０に表示される。ビジョンは、ワークショップの目的などに応じて選択された背景１２０上に、第１表示装置１３０上から選択されたカード１００が配置されたものである。ユーザは、第２表示装置１５０上に表示されたカード１００を、適切な位置に配置したり、拡大、縮小したりする。このように、背景１２０上にカード１００が配置されることにより、ワークショップの目的に応じたビジョンが描かれる。
【００１７】
以下の実施形態では、上記のようなワークショップを行う場合に、過去に行われたワークショップの情報を参考にして、議論を発展させるために有用な情報を提示する。例えば、本実施形態は、上記のようなワークショップの開催前又は開催中に、ワークショップに参加しているユーザやファシリテータが実施することが想定される。
【００１８】
図３に示すように、本実施形態に係る表示制御システム１は、表示制御装置１０と、プロジェクタ３０と、操作検出部３５とを含む。
【００１９】
プロジェクタ３０は、表示制御装置１０の制御により生成された画面７０を、スクリーンや壁面等の投影面に投影する。
【００２０】
操作検出部３５は、例えば、レーザレーダ等で実現することができ、プロジェクタ３０により投影された画面７０に対するユーザの操作を検出する。具体的には、操作検出部３５は、ユーザにより操作された画面７０上の座標位置、及びタッチ、ダブルタッチ等、どのような操作が行われたかを示す操作種別を操作情報として検出する。操作検出部３５は、検出した操作情報を、表示制御装置１０へ出力する。
【００２１】
また、操作検出部３５は、画面７０に対する接触時に赤外線を発する赤外線ペンを利用して、画面７０に対する操作を検出するものであってもよい。また、プロジェクタ３０及び操作検出部３５を合わせた構成として、タッチパネルディスプレイを用いてもよい。
【００２２】
表示制御装置１０は、機能的には、図４に示すように、受付部１２と、抽出部１４と、表示制御部１６とを含む。また、表示制御装置１０の所定の記憶領域には、企業データベース（ＤＢ）２２と、カードＤＢ２４とが記憶される。
【００２３】
受付部１２は、要素の各々の属性に基づいて、複数の要素を分類した複数の集合から、集合の選択を受け付ける。本実施形態では、複数の集合は、複数の要素を階層的に分類したものである。また、本実施形態では、一例として、要素を、過去にワークショップを行った企業とする。また、階層的な複数の集合における上位階層の集合（大分類）を産業別の集合とし、その下位階層の集合（中分類）を業種別の集合とし、さらに、下位階層であり最下層である集合（小分類）を各企業とする場合について説明する。
【００２４】
ここで、図５に、企業ＤＢ２２の一例を示す。図５の例では、各行（各レコード）が１つの企業の企業情報に相当する。各企業情報には、「企業ＩＤ」、「企業名」、「産業ＩＤ」、「業種ＩＤ」等の情報が含まれる。「企業ＩＤ」は、各企業の識別情報である。「産業ＩＤ」は、各企業が属する産業を示す識別情報、「業種ＩＤ」は、各企業が属する業種を示す識別情報である。各企業の「企業ＩＤ」に対応付けられた「産業ＩＤ」及び「業種ＩＤ」の情報により、各企業を上記の階層的な集合に分類することができる。
【００２５】
受付部１２は、具体的には、各集合をアイコンで表した集合画面（詳細は後述）に対するユーザの操作情報を操作検出部３５から取得し、どのアイコンが選択されたかを特定することにより、集合の選択を受け付ける。
【００２６】
受付部１２は、集合の選択が、２以上の集合の関連性を示す情報を表示するための選択である場合、選択された集合の識別情報を抽出部１４へ通知する。なお、２以上の集合は、同一階層に属する集合であってもよいし、異なる階層に属する集合であってもよい。また、受付部１２は、集合の選択が、集合の階層的な表示の展開又は折りたたみを指示するための選択である場合、選択された集合の識別情報を表示制御部１６へ通知する。集合の識別情報は、大分類の集合が選択された場合は産業ＩＤであり、中分類の集合が選択された場合は業種ＩＤであり、小分類の集合が選択された場合は企業ＩＤである。
【００２７】
集合の選択が、２以上の集合の関連性を示す情報を表示するための選択か、又は、集合の階層的な表示の展開又は折りたたみを指示するための選択かは、操作情報に含まれる操作種別により区別することができる。例えば、前者の選択の場合、アイコンへのダブルタッチ、後者の選択の場合、アイコンへのタッチなどのように、予め操作種別を定めておけばよい。
【００２８】
抽出部１４は、過去にカード１００を利用したワークショップを行った企業の各々と、少なくとも１つ以上のカード１００とを対応付けて記憶したカードＤＢ２４を参照する。抽出部１４は、受付部１２で受け付けられた２以上の集合の各々に含まれる企業に対応付けられたカード１００から、２以上の集合間で、カード１００に対応付けられた属性情報が類似する所定数のカード１００を抽出する。
【００２９】
ここで、図６に、カードＤＢ２４の一例を示す。図６の例では、カードＤＢ２４には、企業−カードテーブル２４Ａと、意味情報テーブル２４Ｂと、評価値テーブル２４Ｃと、履歴テーブル２４Ｄとが含まれる。
【００３０】
企業−カードテーブル２４Ａは、各企業とカード１００との対応付けが記憶されたテーブルである。図６の例では、企業−カードテーブル２４Ａには、各企業の「企業ＩＤ」と、カード１００の識別情報である「カードＩＤ」とが対応付けて記憶されている。各企業に対応付けられるカード１００は、例えば、その企業が行ったワークショップで作成されたビジョンに配置されたカード１００、ワークショップの最中に選択されたカード１００、議論の対象になったカード１００等とすることができる。
【００３１】
意味情報テーブル２４Ｂは、カード１００がワークショップにおいて選択肢として機能するための、カード１００が表す意味を示す意味情報が記憶されるテーブルである。図６の例では、各行が１枚のカード１００についての意味情報に相当する。各意味情報は、「カードＩＤ」、カード１００に表示される「カードタイトル」、カード１００に表示される写真やイラストなどの「画像データ」等の情報を含む。また、各意味情報は、各カード１００に関連する「キーワード」の情報を含む。
【００３２】
評価値テーブル２４Ｃは、カード１００の意味情報の価値を評価した評価情報が記憶されるテーブルである。図６の例では、各行（各レコード）が１枚のカード１００についての評価情報に相当する。各評価情報は、各カード１００について、「効率」、「コスト」、「見栄え」等の複数の観点の評価項目毎の評価値を含む。図６の例では、評価値は、例えば、１〜５点の５段階評価の例を示しているが、これに限定されない。また、評価値テーブル２４Ｃは、業種毎、又は産業毎に用意してもよい。
【００３３】
履歴テーブル２４Ｄは、ワークショップにおいて、第１表示装置１３０上でカード１００が選択された履歴を示す履歴情報が記憶されるテーブルである。図６の例では、履歴テーブル２４Ｄには、選択されたカード１００の「カードＩＤ」に対応付けて、ワークショップを行った企業の「企業ＩＤ」、「選択日時」、「音圧」、「発話内容」等の情報が履歴情報として記憶されている。「選択日時」は、「カードＩＤ」が示す該当のカード１００がワークショップにおいて選択された日時である。
【００３４】
「音圧」は、該当のカード１００が選択された際のワークショップの会場の音圧である。音圧は、例えば、ワークショップの会場や、ワークショップに参加しているユーザに取り付けられたマイクから取得することができる。また、履歴情報として記憶する音圧は、該当のカード１００が選択された日時を含む所定期間におけるいずれかの時点での音圧、又はその所定期間内の音圧の平均や最大値などとすることができる。「発話内容」は、該当のカード１００が選択された日時を含む所定期間における、ワークショップの参加者の発話を示すテキストデータである。発話内容は、ワークショップに参加しているユーザに取り付けられたマイクから取得した音声データを音声認識することにより取得することができる。
【００３５】
また、履歴情報には、上記の音圧や発話内容以外の会場又は参加者の状況を示す情報を含めてもよい。例えば、該当のカード１００が選択された日時を含む所定期間における、ワークショップの参加者の心拍数や、会場内での位置情報を履歴情報に含めてもよい。
【００３６】
上記の意味情報テーブル２４Ｂ、評価値テーブル２４Ｃ、及び履歴テーブル２４Ｄの各々において、カードＩＤに対応付けられた情報は、カード１００の属性情報の一例である。
【００３７】
抽出部１４は、具体的には、受付部１２から通知された２以上の集合の識別情報に対応する企業の企業ＩＤを特定する。より具体的には、抽出部１４は、集合の識別情報が企業ＩＤの場合には、そのままその集合の識別情報を企業ＩＤとして特定する。また、抽出部１４は、集合の識別情報が産業ＩＤ又は業種ＩＤの場合には、企業ＤＢ２２から、その産業ＩＤ及び業種ＩＤを含む企業情報に含まれる全ての企業ＩＤを特定する。
【００３８】
抽出部１４は、企業−カードテーブル２４Ａから、特定した企業ＩＤの各々に対応付けられたカードＩＤを特定する。そして、抽出部１４は、特定したカードＩＤに対応する属性情報を、意味情報テーブル２４Ｂ、評価値テーブル２４Ｃ、及び履歴テーブル２４Ｄの各々から特定する。この際、抽出部１４は、履歴テーブル２４Ｄを参照して、各カード１００が選択された頻度を集計し、集計した頻度を属性情報に含める。
【００３９】
抽出部１４は、特定した各カードＩＤに対応する属性情報を用いて、集合間のカード１００同士の類似度を総当り的に算出する。カード１００同士の類似度は、各カード１００の属性情報のうち、一致する項目の数や、テキストの一致度等とすることができる。また、各カード１００の属性情報を数値化してベクトル化し、ベクトル間の距離やコサイン類似度などを、カード１００同士の類似度として算出してもよい。
【００４０】
抽出部１４は、算出した類似度が上位Ｎ位（Ｎは自然数）となるカードＩＤを抽出する。また、抽出部１４は、類似度が所定値以上のカードＩＤを抽出してもよい。例えば、抽出部１４は、選択された集合のいずれか１つを主とする。そして、抽出部１４は、主となる集合に含まれる企業に対応付けられたカード１００の各々について、他の集合に含まれる企業に対応付けられたカード１００との間で、類似度が最大となるカード１００を特定する。そして、抽出部１４は、特定したカード１００の中から、さらに、主となる集合に対応するカード１００との類似度が上位Ｎ位となるカード１００のカードＩＤを抽出する。
【００４１】
なお、複数の集合のうち、いずれを主とするかは、複数の集合の選択を受け付ける際に、あわせて受け付けるとよい。また、主となる集合としては、ワークショップの参考情報の提示先となる企業に類似する企業を示す集合や、提示先となる企業が属する業種又は産業を示す集合が選択されることが想定される。
【００４２】
また、抽出部１４は、主となる集合を指定することなく、総当り的に算出した類似度が上位Ｎ位となるカード１００同士の各々のカードＩＤ（２つのカードＩＤ）を抽出してもよい。
【００４３】
抽出部１４は、抽出したカードＩＤ、そのカードＩＤが示すカード１００について算出された類似度、及び選択された集合の識別情報を表示制御部１６へ受け渡す。
【００４４】
表示制御部１６は、初期の集合画面として、図７に示すように、上位階層の集合のアイコン７４を含む集合画面７２が表示されるように、プロジェクタ３０を制御する。なお、以下では、表示制御部１６がプロジェクタ３０による表示を制御することを、単に「表示する」という。
【００４５】
また、表示制御部１６は、受付部１２から、選択された集合の識別情報が通知されると、その識別情報が示す集合の下位階層の集合を展開表示する。選択された集合が、既に展開されている場合には、表示制御部１６は、その表示を折りたたむ。
【００４６】
例えば、図７に示す集合画面７２から「製造業」のアイコン７４が選択されたことを示す集合の識別情報（ここでは、「製造業」を示す産業ＩＤ）が通知されたとする。この場合、表示制御部１６は、図８に示すように、産業「製造業」に属する業種（「自動車」、「電機」、「食料品」等）の集合を示すアイコン７６を、「製造業」のアイコン７４と線７８で接続して表示する。また、この際、表示制御部１６は、選択されなかった産業のアイコン（「建設業」、「不動産」等）も、異なる階層間での集合の選択を許容するために、表示したままとしておく。
【００４７】
また、例えば、図８に示す集合画面７２から「自動車」のアイコン７６が選択されたことを示す集合の識別情報（ここでは、「自動車」を示す業種ＩＤ）が通知されたとする。この場合、表示制御部１６は、図９に示すように、業種「自動車」に属する企業（「ＸＸＸ」、「ＺＺＺ」等）の集合を示すアイコン８０を、「自動車」のアイコン７６と線７８で接続して表示する。また、この際、表示制御部１６は、選択されなかった産業のアイコン（「建設業」、「不動産」等）、及び業種のアイコン（「電機」、「食料品」等）も、異なる階層間での集合の選択を許容するために、表示したままとしておく。
【００４８】
なお、図８及び図９では、選択された集合を二重線のアイコンで示し、その他の集合を実線のアイコンで示している。
【００４９】
また、図９に示す集合画面７２から「自動車」のアイコン７６が選択されたことを示す集合の識別情報（ここでは、「自動車」を示す業種ＩＤ）が通知されたとすると、表示制御部１６は、集合画面７２の表示を図８に示す状態に戻す。同様に、図８に示す集合画面７２から「製造業」のアイコン７４が選択されたことを示す集合の識別情報（ここでは、「製造業」を示す産業ＩＤ）が通知されたとすると、表示制御部１６は、集合画面７２の表示を図７に示す状態に戻す。
【００５０】
なお、表示制御部１６は、各アイコン７４、７６、８０の配置やサイズを、そのアイコン７４、７６、８０に対応する集合が選択されているか否か、展開表示しているか否か等に応じて、適宜変更する。また、アイコン７４、７６内に表示する産業名及び業種名は、産業ＩＤ及び業種ＩＤの各々に対応付けて、所定の記憶領域に記憶されているものとする。また、アイコン８０内に表示する企業名は、企業ＤＢ２２から取得可能である。
【００５１】
また、表示制御部１６は、抽出部１４により抽出された１以上のカード１００を、選択された２以上の集合間の関係を示す情報として表示する。この際、表示制御部１６は、類似度が高い順にカード１００を並べて表示する。表示制御部１６は、抽出されたカードのうち、類似度が高い順に予め定められた所定数のカード１００を表示対象としてもよいし、抽出部１４により抽出されたカード１００を全て表示対象としてもよい。
【００５２】
具体的には、表示制御部１６は、抽出部１４から受け渡されたカードＩＤに対応するカードタイトル及び画像データをカードＤＢ２４の意味情報テーブル２４Ｂから取得する。そして、表示制御部１６は、取得した情報に基づいてカード１００を画像化し、抽出部１４から受け渡された優先度順に並べて、図１０又は図１１に示すような集合間関連画面８２の関連情報領域８４に表示する。
【００５３】
また、表示制御部１６は、抽出部１４から受け渡された、選択された集合の識別情報に基づいて、どの集合間の関連性を示す情報を表示しているかをアイコン及び線で表した対象集合図８６を、集合間関連画面８２に表示する。対象集合図８６には、選択された集合が、どの階層に位置するかも把握可能とするため、選択された集合の上位階層の集合のアイコンも参考として含めることができる。また、この際、選択された集合のアイコンと、参考の集合のアイコンとの表示態様を異ならせてもよい。
【００５４】
図１０及び図１１の例では、選択された集合のうち、主となる集合として指定されている集合を二重線のアイコンで示し、選択された集合のうち、他の集合を実線のアイコンで示し、参考の集合は破線のアイコンで示している。また、選択された集合間を実線の両矢印の線で示し、参考の集合と選択された集合との間の腺は破線で示している。なお、図１０は、図８に示す集合画面７２から、同一階層の集合である業種「自動車」と業種「電機」とが選択された例である。また、図１１は、図９に示す集合画面７２から、異なる階層の集合である業種「電機」と企業「ＸＸＸ」とが選択された例である。
【００５５】
表示制御装置１０は、例えば図１２に示すコンピュータ４０で実現することができる。コンピュータ４０は、ＣＰＵ（Central Processing Unit）４１と、一時記憶領域としてのメモリ４２と、不揮発性の記憶部４３とを備える。また、コンピュータ４０は、プロジェクタ３０及び操作検出部３５、並びに他の入出力装置が接続される入出力インターフェース（Ｉ／Ｆ）４４を備える。また、コンピュータ４０は、記憶媒体４９に対するデータの読み込み及び書き込みを制御するＲ／Ｗ（Read/Write）部４５と、インターネット等のネットワークに接続される通信Ｉ／Ｆ４６とを備える。ＣＰＵ４１、メモリ４２、記憶部４３、入出力Ｉ／Ｆ４４、Ｒ／Ｗ部４５、及び通信Ｉ／Ｆ４６は、バス４７を介して互いに接続される。
【００５６】
記憶部４３は、ＨＤＤ（Hard Disk Drive）、ＳＳＤ（Solid State Drive）、フラッシュメモリ等によって実現できる。記憶媒体としての記憶部４３には、コンピュータ４０を表示制御装置１０として機能させるための表示制御プログラム５０が記憶される。表示制御プログラム５０は、受付プロセス５２と、抽出プロセス５４と、表示制御プロセス５６とを有する。また、記憶部４３は、企業ＤＢ２２及びカードＤＢ２４の各々を構成する情報が記憶される情報記憶領域６０を有する。
【００５７】
ＣＰＵ４１は、表示制御プログラム５０を記憶部４３から読み出してメモリ４２に展開し、表示制御プログラム５０が有するプロセスを順次実行する。ＣＰＵ４１は、受付プロセス５２を実行することで、図４に示す受付部１２として動作する。また、ＣＰＵ４１は、抽出プロセス５４を実行することで、図４に示す抽出部１４として動作する。また、ＣＰＵ４１は、表示制御プロセス５６を実行することで、図４に示す表示制御部１６として動作する。また、ＣＰＵ４１は、情報記憶領域６０から情報を読み出して、企業ＤＢ２２及びカードＤＢ２４の各々をメモリ４２に展開する。これにより、表示制御プログラム５０を実行したコンピュータ４０が、表示制御装置１０として機能することになる。なお、プログラムを実行するＣＰＵ４１はハードウェアである。
【００５８】
次に、本実施形態に係る表示制御システム１の作用について説明する。表示制御システム１が起動すると、表示制御装置１０において、図１３に示す表示制御処理が実行される。なお、表示制御処理は、開示の技術の表示制御方法の一例である。
【００５９】
まず、ステップＳ１２で、表示制御部１６が、図７に示すように、上位階層の集合のアイコン７４を含む、初期の集合画面７２を表示する。
【００６０】
次に、ステップＳ１４で、受付部１２が、ユーザの操作情報を操作検出部３５から取得し、集合の階層的な表示の展開又は折りたたみを指示するための集合の選択を受け付けたか否かを判定する。受け付けた場合には、受付部１２が、選択された集合の識別情報を表示制御部１６へ通知し、処理はステップＳ１６へ移行する。一方、受け付けていない場合には、処理はステップＳ１８へ移行する。
【００６１】
ステップＳ１６では、表示制御部１６が、受付部１２から通知された集合の識別情報が示す集合の下位階層の集合を展開表示する。又は、選択された集合が、既に展開されている場合には、表示制御部１６は、展開表示された集合の階層的な表示を折りたたむ。そして、処理はステップＳ３４へ移行する。
【００６２】
一方、ステップＳ１８では、受付部１２が、ユーザの操作情報を操作検出部３５から取得し、２以上の集合の関連性を示す情報を表示するための集合の選択を受け付けたか否かを判定する。受け付けた場合には、受付部１２が、選択された２以上の集合の識別情報を抽出部１４へ通知し、処理はステップＳ２０へ移行する。一方、受け付けていない場合には、処理はステップＳ３４へ移行する。
【００６３】
ステップＳ２０では、抽出部１４が、受付部１２から通知された２以上の集合の識別情報に対応する企業の企業ＩＤを、企業ＤＢ２２を参照して特定する。
【００６４】
次に、ステップＳ２２で、抽出部１４が、企業−カードテーブル２４Ａから、上記ステップＳ２０で特定した企業ＩＤの各々に対応付けられたカードＩＤを特定する。
【００６５】
次に、ステップＳ２４で、抽出部１４が、上記ステップＳ２２で特定したカードＩＤに対応する属性情報を、意味情報テーブル２４Ｂ、評価値テーブル２４Ｃ、及び履歴テーブル２４Ｄの各々から特定する。そして、抽出部１４が、特定した各カードＩＤに対応する属性情報を用いて、集合間のカード１００同士の類似度を算出する。
【００６６】
次に、ステップＳ２６で、抽出部１４が、算出した類似度が上位Ｎ位（Ｎは自然数）となるカードＩＤを抽出する。そして、抽出部１４は、抽出したカードＩＤ、そのカードＩＤが示すカード１００について算出された類似度、及び選択された集合の識別情報を表示制御部１６へ受け渡す。
【００６７】
次に、ステップＳ２８で、表示制御部１６が、抽出部１４から受け渡されたカードＩＤに対応するカードタイトル及び画像データをカードＤＢ２４の意味情報テーブル２４Ｂから取得する。そして、表示制御部１６は、取得した情報に基づいてカード１００を画像化し、抽出部１４から受け渡された優先度順に並べて、集合間関連画面８２の関連情報領域８４に表示する。さらに、表示制御部１６が、抽出部１４から受け渡された、選択された集合の識別情報に基づいて、対象集合図８６を集合間関連画面８２に表示する。
【００６８】
次に、ステップＳ３０で、受付部１２が、操作検出部３５から操作情報を取得し、集合間関連画面８２を閉じることを指示する操作情報を受け付けたか否かを判定する。受付部１２は、集合間関連画面８２を閉じることを指示する操作情報を受け付けるまで待機し、該当の操作情報を受け付けると、処理はステップＳ３２へ移行する。ステップＳ３２では、表示制御部１６が、集合間関連画面８２を閉じて、上記ステップＳ２８で集合間関連画面８２を表示する前に表示されていた集合画面７２を再表示する。そして、処理はステップＳ３４へ移行する。
【００６９】
ステップＳ３４では、受付部１２が、操作検出部３５から操作情報を取得し、表示制御処理の終了を指示する操作情報を受け付けたか否かを判定する。受付部１２が、表示制御処理の終了を指示する操作情報を受け付けていない場合には、処理はステップＳ１４に戻り、受け付けた場合には、表示制御処理は終了する。
【００７０】
以上説明したように、本実施形態に係る表示制御システムによれば、表示制御装置が、各集合に含まれる企業に対応付けられたカードであって、集合間のカード同士で属性情報が類似するカードを、集合間の関連性を示す情報として提示する。これにより、例えば、図１０に示すように、対象の企業が属する業種の集合と異業種の集合との間の関連性を示す情報を提示することができる。また、例えば、図１１に示すように、対象の企業に類似する企業と、上位階層である業種の集合であって、かつ異業種の集合との間の関連性を示す情報を提示することができる。これにより、ワークショップの参加者は、集合間の関連性を示す情報として提示されたカードを参照して、同業種での課題、異業種間での類似性、異業種間での連携の可能性等、ワークショップにおける議論を発展させるために有用な情報を読み取ることができる。
【００７１】
また、分類の粒度が異なる集合間では、本来属性情報に相違が生じるため、集合間を比較して関連性を示す情報を提示することは困難である。本実施形態によれば、カードを介することにより、図１１に示すように、異なる階層の集合間であっても、集合間の関連性を示す情報を提示することができる。
【００７２】
また、カードの属性情報として、意味情報、評価情報、及びワークショップで選択された履歴情報を用いることにより、ワークショップで議論を発展させるために有用な情報を提示することができる。
【００７３】
なお、上記実施形態では、集合の要素が企業であり、上位階層の集合が産業及び業種である場合について説明したが、これに限定されない。要素は、本実施形態にけるカードを対応付けることが可能なグループであればよく、上位階層の集合も、そのグループに応じた集合であればよい。
【００７４】
また、上記実施形態では、図１０及び図１１に示すように、２つの集合間の関連性を示す情報を提示する場合について説明したが、３つ以上の集合間の関連性を示す情報を提示するようにしてもよい。この場合、例えば、選択された３つ以上の集合のうち、２つの集合の組み合わせ全てについて、上記実施形態と同様に関連性を示す情報としてカードを抽出して表示すればよい。また、２つの集合の組み合わせ毎に抽出されたカードのうち、全ての組み合わせに共通するカードを表示するようにしてもよい。
また、集合間の関連性を示す情報としてカードを表示する態様は、上記実施形態の例に限定されない。例えば、集合画面上に、関連情報領域を重畳して表示してもよいし、選択された集合を結ぶ線上にカードを配置して表示してもよい。
【００７５】
また、上記実施形態では、表示制御プログラムが記憶部に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記憶媒体に記憶された形態で提供することも可能である。
【符号の説明】
【００７６】
１     表示制御システム
１０   表示制御装置
１２   受付部
１４   抽出部
１６   表示制御部
２２   企業ＤＢ
２４   カードＤＢ
２４Ａ 企業−カードテーブル
２４Ｂ 意味情報テーブル
２４Ｃ 評価値テーブル
２４Ｄ 履歴テーブル
３０   プロジェクタ
３５   操作検出部
４０   コンピュータ
４１   ＣＰＵ
４２   メモリ
４３   記憶部
４９   記憶媒体
５０   表示制御プログラム
１００ カード
【図１】
2020026316.tif 000003
【図２】
2020026316.tif 000004
【図３】
2020026316.tif 000005
【図４】
2020026316.tif 000006
【図５】
2020026316.tif 000007
【図６】
2020026316.tif 000008
【図７】
2020026316.tif 000009
【図８】
2020026316.tif 000010
【図９】
2020026316.tif 000011
【図１０】
2020026316.tif 000012
【図１１】
2020026316.tif 000013
【図１２】
2020026316.tif 000014
【図１３】
2020026316.tif 000015
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
要素の各々の属性に基づいて、複数の要素を分類した複数の集合から、２以上の集合の選択を受け付け、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出し、
抽出した前記１以上のカードを、前記２以上の集合間の関係を示す情報として表示する
ことを含む処理をコンピュータに実行させるための表示制御プログラム。
【請求項２】
前記２以上の集合の選択として、前記複数の要素を階層的に分類した複数の集合から、異なる階層間の集合の選択を許容する請求項１に記載の表示制御プログラム。
【請求項３】
前記１以上のカードを表示する際、前記属性情報の類似度が高い順に表示する請求項１又は請求項２に記載の表示制御プログラム。
【請求項４】
前記属性情報は、前記カードが議論の場で選択される選択肢として機能するための意味情報を含む請求項１〜請求項３のいずれか１項に記載の表示制御プログラム。
【請求項５】
前記属性情報は、前記カードが示す意味情報の価値を評価した評価情報を含む請求項４に記載の表示制御プログラム。
【請求項６】
前記属性情報は、前記カードが前記議論の場で選択された履歴情報を含む請求項４又は請求項５に記載の表示制御プログラム。
【請求項７】
前記履歴情報は、前記カードが前記議論の場で選択された頻度、及び前記カードが選択された際の前記議論の場の状況の少なくとも一方を含む請求項６に記載の表示制御プログラム。
【請求項８】
前記要素は企業であり、前記複数の要素を階層的に分類した集合は、上位階層の産業別の集合、下位階層の業種別の集合を含み、最下層の集合が各要素である請求項２に記載の表示制御プログラム。
【請求項９】
要素の各々の属性に基づいて、複数の要素を分類した複数の集合から、２以上の集合の選択を受け付ける受付部と、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出する抽出部と、
抽出した前記１以上のカードを、前記２以上の集合間の関係を示す情報として表示する表示制御部と、
を含む表示制御装置。
【請求項１０】
要素の各々の属性に基づいて、複数の要素を分類した複数の集合から、２以上の集合の選択を受け付け、
前記要素の各々と、１以上の属性情報が対応付けられた複数のカードのうちの少なくとも１つとを対応付けて記憶した記憶部を参照し、選択された前記２以上の集合の各々に含まれる要素に対応付けられた前記カードから、前記２以上の集合間で、前記カードに対応付けられた属性情報が類似する１以上のカードを抽出し、
抽出した前記１以上のカードを、前記２以上の集合間の関係を示す情報として表示する
ことを含む処理をコンピュータが実行する表示制御方法。
【国際調査報告】
2020026316.tif 000016
2020026316.tif 000017
2020026316.tif 000018
2020026316.tif 000019